(57)【要約】  壁張りのための構造システム（１）は、一連の垂直材（２）と、２本の垂直材の間に支持可能で垂直方向に整合しない一連の横架材（３）と、を含み、横架材（３）が、２つの向かい合う末端部（３３）を有し、２つの向かい合う末端部（３３）は、弾性変形可能な材料で作られ、少なくとも２つの屈曲部を有し、垂直材（２）が、横架材の末端部（３３）が復元力によって取り付け可能な固定手段（２２）を備え、この目的のために、固定手段は、各末端部（３３）に対する少なくとも２つの入り口部分（Ａ）（Ｂ）を含み、少なくとも２つの入り口部分（Ａ）（Ｂ）は、スロットまたは開口部の形状で、末端部の少なくとも２つの屈曲部（ａ）（ｂ）との関係を維持するよう間隔を空けて配置され、少なくとも２つの屈曲部のそれぞれ１つは、上記入り口部分のうちの１つに同時に挿入可能であり、固定に先だち末端部（３３）または垂直材のうちの少なくとも１つが弾性変形することを要するため、固定時に上記屈曲部が入り口部分に弾性反応を介して密着して押し付けられる。このシステムは、同時に１つ以上の横架材（３）から吊り下げられるように作られる、一連の被覆部材（１０）を用いて完成される。
2020523509.tif 000002
【特許請求の範囲】
【請求項１】
壁張りのための構造システム（１）であって、
一連の垂直材（２）と、２本の垂直材の間に支持可能で垂直方向に整合しない一連の横架材（３）と、を含み、
前記横架材（３）は、細長であり、２つの向かい合う末端部（３３）を有し、２つの向かい合う前記末端部（３３）は、糸状である、または弾性変形可能な材料で作られ、弾性力を生み出すように形成され、少なくとも２つの屈曲部を有し、
前記垂直材（２）が、前記横架材の前記末端部（３３）が復元力によって固定可能な固定手段（２２）を備え、前記固定手段は、各末端部（３３）に対する少なくとも２つの入り口部分（Ａ）（Ｂ）を含み、前記少なくとも２つの入り口部分（Ａ）（Ｂ）は、スロットまたは開口部の形状であって、前記末端部の前記少なくとも２つの屈曲部（ａ）（ｂ）に対応した間隔を空けて配置され、前記少なくとも２つの屈曲部のそれぞれ１つは、これらの入り口部分のうちの１つに同時に挿入可能であり、固定に先立ち前記末端部（３３）、前記垂直材（２）または前記末端部と前記垂直材との両方が弾性変形されることを要するため、固定時に前記屈曲部が前記入り口部分に弾性反応を介して密着して押し付けられる、構造システム。
【請求項２】
請求項１に記載の構造システム（１）であって、前記システムが、１つ以上の横架材（３）から同時に吊り下げられるように作られた一連の被覆部材（１０）を含む、構造システム。
【請求項３】
請求項１または２に記載の構造システム（１）であって、前記横架材（３）は、１つの部材から作られる、構造システム。
【請求項４】
請求項１から３のいずれか１項に記載の構造システム（１）であって、前記固定手段（２２）は、シート（２２ａ）に形成され、前記シートの第１の端部に配置されるスロット（２３）により形成される前記第１の入り口部分（Ａ）、前記シートを貫通する開口部（２４）により、または、前記シートの前記第１の端部と向かい合う端部に配置される補助スロット（２５）により形成される前記第２の入り口部分（Ｂ）である、構造システム。
【請求項５】
請求項１から４に記載の構造システム（１）であって、前記スロット（２３）および、存在する場合には、前記補助スロット（２５）のうち少なくとも１つが非直線のスロットである、構造システム。
【請求項６】
請求項４または５に記載の構造システム（１）であって、
前記末端部（３３）は、折り返され、内側枝部（３４）と外側枝部（３５）と連絡橋（３６）とを有する略Ｕ字型フレームと、
固定端部（３７）と、を形成し、
前記末端部先端（３８）は、前記フレームの前記外側枝部（３５）に対して角度をつけて位置し、
前記末端部（３３）は、前記連絡橋（３６）を前記スロット（２３）に挿入することにより前記シート（２２ａ）に取り付け可能であり、前記内側枝部および前記外側枝部は、前記シート（２２ａ）を片側ずつ支持可能であり、前記末端部先端（３８）は、前記開口部（２４）に、利用可能な場合は前記補助スロット（２５）に、同時に挿入される、構造システム。
【請求項７】
請求項１から６に記載の構造システム（１）であって、前記シート（２２ａ）は、前記横架材（３）の延在方向に対して垂直に方向づけられ、前記フレームもまた前記横架材の延在方向に対して垂直に方向づけられる、構造システム。
【請求項８】
請求項４から７のいずれか１項に記載の構造システム（１）であって、前記第２の入り口部分（Ｂ）は、前記シート（２２ａ）を貫通する開口部（２４）であり、前記固定フレームの前記外側枝部（３５）は、前記内側枝部（３４）より短く、前記固定端部（３７）は、前記シートを貫通し、前記フレームの前記内側枝部（３４）に対して支持を提供する長さである、構造システム。
【請求項９】
請求項４から６のいずれか１項に記載の構造システム（１）であって、前記第２の入り口部分（Ｂ）は、前記補助スロット（２５）であり、前記シート（２２ａ）には、調整窓（２６）と、前記調整窓（２６）に係合する屈曲部（３４ａ）を有する前記フレームの前記内側枝部（３４）とが設けられる、構造システム。
【請求項１０】
請求項１から３のいずれか１項に記載の構造システム（１）であって、前記固定手段（２２）は、２つの固定貫通孔（２７）（２８）により形成される前記第１の入り口部分（Ａ）と前記第２の入り口部分（Ｂ）とを有するシート（２２ａ）を含む、構造システム。
【請求項１１】
請求項１から１０のいずれか一項に記載の構造システム（１）であって、前記末端部（３３）が折り返され、板を通る前記開口部に対応する、少なくとも２つの屈曲部（３９ａ）（３９ｂ）を形成し、前記末端部が前記固定貫通孔（２７）（２８）を通って前記シート（２２ａ）で整合可能である、構造システム。
【請求項１２】
請求項１０に記載の構造システム（１）であって、前記固定貫通孔（２７）（２８）が同一平面に配置されていない、構造システム。
【請求項１３】
請求項１から１２のいずれか一項に記載の構造システム（１）であって、前記シート（２２ａ）は、前記横架材（３）の延在方向に対して垂直に方向づけられ、タブ（２９）を含み、前記タブ（２９）は、前記横架材の方向に延び、前記固定貫通孔（２７）の１つが形成され、
前記末端部（３３）は、前記末端部の第１の部分（４１）を前記固定貫通孔（２７）へ挿入するために方向づける第１の屈曲部（ａ）、および固定端部（３７）を決定する第２の屈曲部（ｂ）において折り返され、前記末端部先端（３８）が前記末端部の前記第１の部分に対して角度をつけて配置され、前記第２の固定貫通孔（２８）に挿入可能である、構造システム。
【請求項１４】
請求項１から１３のいずれか１項に記載の構造システム（１）であって、前記固定貫通孔（２７）は、前記シート（２２ａ）の前記端部に延在し、前記末端部（３３）を挿入するために横方向のアクセス（２７ａ）を提供する、構造システム。
【請求項１５】
請求項１から３のいずれか１項に記載の構造システム（１）であって、前記固定手段（２２）は、前記シートに形成される貫通スロット（３０）の向かい合う両側部（３０ａ）（３０ｂ）により形成される前記第１の入り口部分（Ａ）および前記第２の入り口部分（Ｂ）を有する、シート（２２ａ）を含み、前記末端部（３３）は、折り返され、１つの内側枝部（４１）および１つの外側枝部（４２）の２つの枝部と連絡橋（４３）とを有するばねの一種を決定し、それぞれの枝部が、向かい合う枝部の方向に向く復元防止屈曲部（４１ａ）（４２ａ）を有し、それぞれが前記貫通スロットの片方の側部（３０ａ）（３０ｂ）の復元力により固定し、前記ばねの圧縮力を要し、前記枝部をともに合わせ、前記橋を前記貫通スロットへ挿入することを目的とする、構造システム。
【発明の詳細な説明】
【技術分野】
【０００１】
本発明は、一連の垂直材と、２本の垂直材の間に支持されることを意図する、垂直方向に整合しない一連の横架材とを含む、例えばカーテンウォールまたは換気ファサードに適した壁張りのための構造システムに関する。このシステムは、同時に１つ以上の横架材に取り付けられるように、用意された一連の被覆部材を用いて完成される。
【背景技術】
【０００２】
カーテンウォールまたは換気ファサードを設置するための構造的解決方法の領域において多くの既知の提案がある。最も一般的なものは、被覆部材を接続するためのシステムを取り付け可能な壁固定要素を含むシステムに基づく。これらの連結システムは、個々に部材に固定されてもよく、または、特に、直方体が連なる配置（a parallelepiped arrangement）であるとき、１つ以上の部材と協働して支持するように設計されてもよい。
【０００３】
例えば、国際公開第２００６／１３４１８２号には、建物の主ファサードに接続されるように適合されるプロファイル（輪郭部材）一式と、被覆部材をプロファイルに固定するように適合される複数の固定要素とを含む換気ファサードのための固定システムが記載される。この提案における重要な１つの側面は、プロファイルが、その中に接続要素の自由端が挿入可能なガイドとして構成される点である。これらの接続要素は、被覆部材の支持片に対応して、開口部に挿入可能となるよう作られた、垂直に方向付けられる突出タブを有する。これらの支持片は、被覆部材の一連の側方開口部に挿入される、一連の突出部を含む。
【０００４】
国際公開第２００６／１３４１８２号に記載される解決方法が重要である理由は、少なくとも支持部材を接続要素に装着する、または、被覆部材を支持片に連結するために、ねじや同様の金具を必要としない点である。
【０００５】
ねじや同様の金具による固定が不要になると、換気ファサードの設置が容易になり、結果として、設置費用が低くなり、さらに、例えば、破損や摩耗による維持管理や交換の際等、設置後の被覆部材の交換が容易になる。
【０００６】
この場合、被覆部材を壁に固定された構造体に容易にかつ補助部品を要することなく固定する方法を得る他の既知の提案がある。
【０００７】
欧州特許出願公開第１５６０９９１号は、例えば、換気または非換気ファサードの構造用の支柱の間の横材などの、構造体同士を連結するための固定要素を記載し、その固定要素は、支柱とともにフック点および接続点を形成するフック開口部を備える横長基部を有する板状の弾性板バネから作られることを記載している。固定要素は、異なる方法で構成されるが、例えば、板と、板が留められる支柱との間に被覆部材が挿入されるとき、変形時に発生する復帰力を常に利用する。
【０００８】
垂直材または支柱を、垂直材に対して横方向に延びる横材と組み合わせてメッシュの一種を形成し、その上に被覆部材のための支持要素が固定され、行と列に配置されてもよいこともまた知られている。いくつかの既知の場合において、留め具または同様の要素の形態である補助要素の助けを借りる場合であっても、同一のクロスバーを使用して、直接的な支持を受ける、または被覆部材を直接的に支持してもよい。一例が独国実用新案第２９８０７８０８号に記載される。この種のシステムの欠点の１つは、被覆部材の交換が非実用的である点であり、その理由は、システムにおいて、一対以上の垂直材の間に連続して延びる、関連する横材の取り外しが必要になり、よって、同じ行のすべての部材を取り外すことが必要になる。
【先行技術文献】
【特許文献】
【０００９】
【特許文献１】国際公開第２００６／１３４１８２号
【特許文献２】欧州特許出願公開第１５６０９９１号
【特許文献３】独国実用新案第２９８０７８０８号
【特許文献４】米国特許第３４５６９７０号明細書
【特許文献５】独国特許出願公開第３５３９５６５号明細書
【特許文献６】英国特許出願公開第１５００２０４号明細書
【発明の概要】
【発明が解決しようとする課題】
【００１０】
本発明の目的の１つは、作業現場において設置を簡単にする、既知のシステムに対する代替案を提供することである。例えば、重要な１つの側面は、被覆部材を支持構造体に取り付けまたは装着するために、システムがねじまたは同様の金具を必要とせず、そして、支持構造体もまた、その部品を連結するために、ねじまたは同様の金具を必要としない点である。構造体の部品同士のこのような固定を、十分に堅くまたは確実に行い、工場での事前組み立てを可能にし、例えば、事前組み立てされた構造物を作業現場へ搬送できるようにするべきである。
【課題を解決するための手段】
【００１１】
本発明のシステムは、一連の垂直材と、２本の垂直材の間に支持可能な、垂直方向に整合しない一連の横架材と、任意で、１つ以上の横架材から同時に吊り下げられるように作られた一連の被覆部材とを含む、壁張りのための構造システムである。上記システムの特徴は、横架材が細長であり、２つの向かい合う末端部を有し、その２つの向かい合う末端部が糸状である、または弾性力を生み出すよう形成され、弾性変形可能な材料で作られ、少なくとも２つの屈曲部を有することと、垂直材が、横架材の末端部の復元力によって当該横架材を固定可能な固定手段を備えることである。この目的のために、これらの固定手段は、各末端部に対する少なくとも２つの入り口部分を含み、この少なくとも２つの入り口部分は、スロットまたは開口部の形状であり、屈曲部と末端部との関係を維持するよう間隔を空けて配置され、少なくとも２つの屈曲部のそれぞれ１つは、上記（２つの）入り口部分のうちの１つに同時に挿入可能であり、固定に先立ち上記末端部、上記垂直材または末端部と垂直材との両方が弾性変形されることを必要とし、よって固定時には屈曲部が入り口部分に対して弾性反応により密着して押し付けられる。
【００１２】
有利には、本発明に記載されるシステムは、部分ごとに組み立ておよび解体され得る。つまり、横架材は、いつでも取り外しでき、必ずしも同じ位置である必要なく再設置することができるが、スチールメッシュの構造システムの場合、それが不可能である。スチールメッシュの構造システムは、２つ以上の列からなる格子を形成し、メッシュの長さ全体に延びる縦糸とメッシュの幅全体を覆う部分から形成され、それにより１つの格子を解体することが不可能になる。
【００１３】
本発明のシステムにおいて、１つの被覆部材は、他の部材に影響を与えることなく交換または組み立てることができる。同様に、下記において詳細に説明されるように、システムによって、横架材が、２つの選択された平行な垂直材ごとに延在することが可能になり、それらをねじや同様の金具などの補助的な固定要素を必要とせずに簡単に解体できる可能性があるため、必ずしも行と列ではない以下のパターンで、横架材および／または、適用可能な場合、被覆部材を配置することが可能である。したがって、本発明のシステムは、異なる格子を有する、ある種のメッシュが形成可能であり、横架材および／または被覆部材のより密度がより高い領域を、密度がより低い領域と組み合わせて、例えば、システムを通過する、適用可能な場合は、換気ファサードまたはカーテン壁を通過する、光または入射する太陽光の比率を調節可能にしている。
【００１４】
横架材は、その連結の際に、垂直材または横架材の末端部の少なくとも１つを弾性変形させることにより生じる復元力によって、垂直材に堅固に取り付けられる、または、支持される点に留意されるべきである。
【００１５】
構造システムは、ドライまたはウェット両方の利用方法において、屋外または屋内の被覆、構造および装飾セクタにおいて非常に多くの利用方法があり、建物外面にとって非常に重要である。
【００１６】
横架材は、１つの部材から作られてもよい。
【００１７】
本発明の１つの変更例において、固定手段は、要求される設計によって、切削されたもしくはプレス加工されたスチール、またはプラスチック材料のシートに形成され、横架材の末端部を取り付け可能な入り口部分を決定する。
【００１８】
例えば、第１の入り口部分は、シートの第１の端部に配置されるスロットの切り口により形成され、第２の入り口部分は、上記シートを貫通する開口部により、または、シートの第１の端部とは反対側の端部に配置される補助スロットにより形成される。
【００１９】
有利には、垂直材は、圧延機に供給され、工場における垂直材および横架材の事前組み立てを容易にする。その理由は、求められる長さに垂直材を切削するとともに、都合よくそれらをプレス加工または打ち抜き加工をして、この場合であれば、スロットまたは開口部が形成された固定手段を形成するのが容易なためである。
【００２０】
本発明のシステムは、非常に軽量であってよい。システムを実施するためには、例えば、約１ｍｍの厚さを有するシートを使用してもよく、直径が１ｍｍの横架材を使用して組み合わせてもよい。
【００２１】
本発明は、図４ｂに詳細に示すように、スロットおよび、もし存在する場合、補助スロットのうち少なくとも１つが、シートに取り付けられる末端部を定位置に固定するのに好都合である非直線のスロットであることを想定している。
【００２２】
重要な変更例において、上述した固定手段との組み合わせにおいて、末端部は、折り返され、内側枝部、外側枝部、および連絡橋を有するＵ字型のフレームと、固定端部とを形成し、固定端部には、フレームの外側枝部に対して角度をつけた末端部先端が位置し、連絡橋をスロット内に配置することにより末端部がシートに取り付け可能になり、内側枝部および外側枝部は、片側ずつシートを保持し、末端部先端は、次に、開口部、または場合によって補助スロットに挿入される。
【００２３】
好ましくは、この重要な変更例によれば、シートは、横架材の延在方向に対して垂直に方向づけられ、フレームもまた横架材が延びる方向に対して垂直に方向づけられる。
【００２４】
別の変更例において、固定手段の第２の入り口部分は、シートを貫通する開口部であり、固定フレームの外側枝部は、内側枝部より短く、固定手段の先端部の長さは、シートを貫通し、フレームの内側枝部に対する支持を提供できる長さである。
【００２５】
別の変更例において、固定手段の第２の入り口部分は、先述の補助スロットであり、シートには、調節窓が設けられ、フレームの内側枝部にはその調節窓と係合する屈曲部が設けられる。
【００２６】
別の実施形態において、固定手段は、シート、固定貫通孔により形成される、第１入り口部分および第２入り口部分を含む。
【００２７】
この実施形態の変更例において、末端部は、折り返され、固定貫通孔に対応する少なくとも２つの屈曲部を形成し、末端部は、固定貫通孔を介してシートに整合することができる。
【００２８】
固定貫通孔は、必ずしも同一平面に位置しなくてもよい。
【００２９】
この点に関して、本発明は、例えば、シートが横架材の延在方向に対して垂直方向に方向づけられ、タブを含み、そのタブが、横架材の方向に延び、固定貫通孔のうちの１つが形成され、末端部は、末端部の第１の部分を固定開口部に挿入するように案内する第１の屈曲部において折り返され、第２の屈曲部は、固定端部を作り出し、末端部先端は、末端部の第１の部分に対して角度をつけて、第２の固定貫通孔に挿入可能に配置されることを想定している。
【００３０】
固定貫通孔をシートの端部まで延在させ、末端部の挿入のために横方向のアクセスを提供してもよいこともまた重要である。
【００３１】
別の代替的な実施形態において、固定手段は、シートと、そのシートに形成される貫通スロットの向かい合う両端部によって形成される第１の入り口部分および第２の入り口部分とを含み、末端部が折り返され、末端部は、１つが内側、１つが外側にある２つの枝部と、連絡橋とである種のばねを決定し、各枝部には、向かい合う枝部の方向に向けて曲げられた復元防止屈曲部が設けられており、それぞれが貫通スロットの一端部において復元力を介して係合することを意図しており、そのためにばねの圧縮力を必要とし、枝部を互いに近づけ、橋を貫通スロットに挿入している。
【図面の簡単な説明】
【００３２】
【図１】本発明によるシステムの実施例の概略図であり、被覆部材が取り除かれた垂直材および横架材の可能な構成を示すが、この構成は、隣接する平行な垂直材の各対同士で同一であることは必ずしも必要ないことに留意されたい。
【図２】本発明による、この場合、被覆部材が取り付けられた、システムの別の実施例の概略図である。
【図３】横架材が仮想平面に示されない形状を有し、システムを３Ｄつまり三次元の構成としてもよいことを示す、被覆部材が取り外された、本発明によるシステムの別の実施例の概略図である。
【図４ａ】本発明で考慮されるいくつかの実施形態、具体的には、横架材の末端部を対応する垂直材の固定手段に取り付ける実施形態を概略的に示す図であり、各図は、末端部および固定手段の対が係合前の位置、および係合された位置にあることをそれぞれ示す。
【図４ｂ】本発明で考慮されるいくつかの実施形態、具体的には、横架材の末端部を対応する垂直材の固定手段に取り付ける実施形態を概略的に示す図であり、各図は、末端部および固定手段の対が係合前の位置、および係合された位置にあることをそれぞれ示す。
【図５】本発明で考慮されるいくつかの実施形態、具体的には、横架材の末端部を対応する垂直材の固定手段に取り付ける実施形態を概略的に示す図であり、各図は、末端部および固定手段の対が係合前の位置、および係合された位置にあることをそれぞれ示す。
【図６】本発明で考慮されるいくつかの実施形態、具体的には、横架材の末端部を対応する垂直材の固定手段に取り付ける実施形態を概略的に示す図であり、各図は、末端部および固定手段の対が係合前の位置、および係合された位置にあることをそれぞれ示す。
【図７】本発明で考慮されるいくつかの実施形態、具体的には、横架材の末端部を対応する垂直材の固定手段に取り付ける実施形態を概略的に示す図であり、各図は、末端部および固定手段の対が係合前の位置、および係合された位置にあることをそれぞれ示す。
【図８】本発明で考慮されるいくつかの実施形態、具体的には、横架材の末端部を対応する垂直材の固定手段に取り付ける実施形態を概略的に示す図であり、各図は、末端部および固定手段の対が係合前の位置、および係合された位置にあることをそれぞれ示す。
【図９ａ】本発明で考慮されるいくつかの実施形態、具体的には、横架材の末端部を対応する垂直材の固定手段に取り付ける実施形態を概略的に示す図であり、各図は、末端部および固定手段の対が係合前の位置、および係合された位置にあることをそれぞれ示す。
【図９ｂ】本発明で考慮されるいくつかの実施形態、具体的には、横架材の末端部を対応する垂直材の固定手段に取り付ける実施形態を概略的に示す図であり、各図は、末端部および固定手段の対が係合前の位置、および係合された位置にあることをそれぞれ示す。
【図１０】本発明で考慮されるいくつかの実施形態、具体的には、横架材の末端部を対応する垂直材の固定手段に取り付ける実施形態を概略的に示す図であり、各図は、末端部および固定手段の対が係合前の位置、および係合された位置にあることをそれぞれ示す。
【図１１】本発明で考慮されるいくつかの実施形態、具体的には、横架材の末端部を対応する垂直材の固定手段に取り付ける実施形態を概略的に示す図であり、各図は、末端部および固定手段の対が係合前の位置、および係合された位置にあることをそれぞれ示す。
【図１２】どのように本発明のシステムが横架材同士の接続部分を形成し三次元構造を形成するのにも適していることを例示する、本発明の具体的な実施形態の概略図である。
【図１３】本発明によるシステムの横架材に被覆部材を吊り下げるためのいくつかの代替例を示す図である。
【図１４】本発明によるシステムの横架材に被覆部材を吊り下げるためのいくつかの代替例を示す図である。
【図１５】本発明によるシステムの横架材に被覆部材を吊り下げるためのいくつかの代替例を示す図である。
【図１６】システムのモジュール性を利用した、異なる構造システムを示す、本発明によるシステムの汎用性を概略的に示す図である。
【図１７】システムのモジュール性を利用した、異なる構造システムを示す、本発明によるシステムの汎用性を概略的に示す図である。
【発明を実施するための形態】
【００３３】
本発明の構造システムは、図１から図３に壁張りの形状で例示され、一連の垂直材２と、２本の垂直材との間に支持可能な、垂直方向に整合しない一連の横架材３と、任意で、１つ以上の横架材から同時に吊り下げされるように作られた一連の被覆部材１０（図２に示される）とを含む。
【００３４】
これらの図１から図３は、ある種のメッシュを形成可能で、さらに、被覆部材１０を完全な行と列に並べて配置する必要がない設置を可能にする、異なる形状を提示可能なシステムの汎用性を示すことを意図している。
【００３５】
そのために、通常垂直に配置される垂直材には、その長さに沿って配置される固定手段が設けられ、ここに横架材３へ設けられる一連の末端部がしっかりと取り付け可能である。
【００３６】
垂直材２は、従来の方法を用いて、被覆される表面または壁に固定することができる。代替的には、システムは、好ましい向きによって、吊り下げてまたは掛けてもよい。
【００３７】
図４から図１０は、本発明の範囲内の選択肢を示し、垂直材２がシート２２ａの形状を有し、システムまたは換気ファサードの場合は、ファサードの平面によって覆われる表面に対して実質的に垂直に配置される。具体的には、垂直材２は、要求される設計に基づき切削スチールまたは型抜きしたスチールから作られるシート２２ａに基づき、横架材３の一連の末端部３３が取り付け可能な固定手段２２をその中に決定してもよい。実施される各メッシュ、および要求されるパンチまたは打ち抜きに応じて、要求される長さに切断することが容易であるため、有利には、垂直材２は、工場において垂直材と横架材の事前組み立てを容易にする圧延機に供給され得る。
【００３８】
垂直材２はまた、ねじまたは留め具により、固定または結合されて、接続されるシート２２ａの連結により形成され、これにより垂直材２および横架材３の事前組み立てを不要にするだけではなく、必要に応じて、工場で準備された部品を使用して、作業現場で接続され、作業現場で垂直材の組み立てを完了することも可能にしている。
【００３９】
垂直材２が、解体可能な要素であるという事実により、作業現場においてシートを補強することが可能になり、これはファサードが設置された後、例えば、窓などの開口部を設ける必要がある場合、非常に役に立つ。
【００４０】
末端部３３に関して、または末端部３３と横架材３が一体の部材である場合は横架材３全体に関して、これらは平鋼であってもよい、または、円形断面を有してよい。後者の場合、上述の図４から図１０に示される。横架材は、例えば、鉄、ステンレス鋼、アルミニウム、亜鉛めっき鋼またはプラスチック材料から作られてもよい。
【００４１】
図４から図１０に示す実施形態において、横架材の各末端部３３に対する固定手段２２は、スロットまたは開口部の形状である、さまざまな入り口部分を含み、これらは、末端部３３に形成された屈曲部との対応関係を維持するように間隔を空けて配置され、屈曲部のそれぞれは、上記入り口部分のうちの１つにおいて、同時に把持可能であり、末端部が元の形状に戻ろうとするとき、弾性反応によりこれらの屈曲部は、入り口部分に対してしっかりと支持され、このすべてが、結果として１つの末端部３３全体として固定手段に固定される。
【００４２】
このために、横架材３が１つのまたは複数の部材であるかに関わらず、垂直材２および横架材３の末端部３３のうち少なくとも１つが、復元力により互いに取り付け可能な弾性を有する。つまり、末端部３３の屈曲部を、垂直材２のくぼみまたは入り口部分にそれぞれ配置するために、垂直材２は、必ず弾性変形される、または、これらの末端部３３は必ず弾性変形する、または、もとの形状に再び適応しようとする場合、両方の部材（垂直材２および末端部３３）が必ず弾性変形し、その後、復元力により拘束される。有利には、垂直材２および横架材３の接続は、可逆的であるだけではなく、ねじなどを使用せずに行うことができる。
【００４３】
理解されるように、固定手段２２とそれに挿入される各末端部３３の屈曲部との空間的配置は、２つの末端部３３がいったん垂直材に挿入されると、横架材３が、関連付けられる垂直材２に対して、ｘ、ｙ、ｚ面に移動することを防ぐ。
【００４４】
図４の実施例において、シート２２ａでは、第１の入り口部分Ａは、シート２２ａの第１の端部に配置されるスロット２３により形成され、第２の入り口部分Ｂは、上述したシート２２ａを貫通する開口部２４により形成される。対応して、横架材３の末端部３３は、折り返され、上述の入り口部分Ａ、Ｂを把持する屈曲部ａ、ｂを決定する。
【００４５】
より具体的には、末端部３３は曲げられ、内側枝部３４、外側枝部３５、連絡橋３６を有するＵ字型フレームと、固定端部３７とを形成し、固定端部３７に、末端部先端３８がフレームの外側枝部３５に対して角度をつけて位置し、内側枝部と外側枝部とがシート２２ａを片側ずつ保持したまま、連絡橋３６をスロット２３に挿入し、同時に、末端部３３の先端部３８を開口部２４に挿入することにより、末端部３３がシート２２ａに取り付け可能になる。このとき、前もって末端部３３のＵ字型フレームの枝部同士が離隔するように弾性変形させる、および／またはシート２２ａを弾性変形させることを要する。
【００４６】
図４（残りの実施例も同様）は、シート２２ａの一部のみを示すが、その全体の長さに沿って配置され示される固定手段２２と同様のものを設けて、シートが上方および下方に延在することは明白である。
【００４７】
実施例のシート２２ａが対称であり、実質的には２つのスロット２３および２つの開口部２４が同じ高さに設けられ、図示されないが、別の横架材からの別の末端部が同一のシート２２ａに取り付け可能になり、この別の横架材はシート２２ａの反対側から延在することに留意されたい。
【００４８】
図５の実施例は、図４の実施例に類似するが、この場合であっても、固定フレームの外側枝部３５は、内側枝部３４より短く、固定端部３７は、この固定端部３７がシート２２ａを貫通するとき、システムに対してより大きい安定性を提供しつつ、フレームの内側枝部３４に対する支持を与えることができる、シート２２ａを貫通する長さである。
【００４９】
シート２２ａには、同一の末端部３３に関連付けられて、複数の開口部２４を異なる高さに設けてもよく、結果として、シート２２ａの同じ高さに固定された２つの末端部３３の間に機械的な干渉がなく、２つの横架材３のうちのそれぞれがシート２２ａの両側のうちの片側から延在することに留意されたい。
【００５０】
図６の実施例において、横架材３の末端部３３と垂直材２のシート２２ａとの間の支持部または接触部の数が増加する。
【００５１】
この場合、各末端部３３に対する固定手段２２は、３つの入り口開口部Ａ、Ｂ、Ｃを含み、末端部３３において同数の屈曲部ａ、ｂ、ｃと以下の方法で協働することを意図する。
【００５２】
シート２２ａに形成される第１の入り口開口部Ａ、第２の入り口開口部Ｂ、第３の入り口開口部Ｃは、シート２２ａの１つの端部におけるスロット２３と、シート２２ａの反対側の端部における１つの補助スロット２５と、シート２２ａの中心部に形成される調節窓２６とによってそれぞれ決定される。そして次に、末端部３３は、折り返されるものの、図４および図５に示すものと形状が多少異なっていて、再度、内側枝部３４、外側枝部３５、連絡橋３６を有する略Ｕ字型フレームと、固定端部３７とを決定し、末端部先端３８が、フレームの外側枝部３５に対して角度をつけて位置する。フレームの内側枝部３４は、シート２２ａの調節窓２６に係合する屈曲部３４ａを有する。
【００５３】
したがって、固定位置において、内側枝部と外側枝部とがシート２２ａを片側ずつ保持したまま、連絡橋３６をスロット２３に挿入することにより、末端部先端３８を補助スロット２５に挿入し、同時に屈曲部３４ａをシート２２ａの調節窓２６に係合させることにより、末端部３３をシート２２ａに取り付けることができる。このとき、前もって末端部３３を弾性変形させ、Ｕ字型フレームの枝部同士を離隔する、および／またはシート２２ａを弾性変形させることを要する。
【００５４】
実施例において、２つの末端部３３が垂直材２の同じ高さに挿入されるとき、調節窓２６は、２つの末端部３３の屈曲部３４ａを支持する、または受け入れるために十分な大きさである。
【００５５】
図７に示す実施形態において、シート２２ａの固定手段２２は、シート２２ａの第１の端部に配置されるスロット２３により決定される第１の入り口開口部Ａとシート２２ａの反対側端部に配置される補助スロット２５により決定される第２の入り口開口部Ｂとを含む。対応して、横架材の末端部３３は、らせん状に折り返されて、今回は横架材３の内側へ向かって、外側枝部３５、内側枝部３４、連絡橋３６を有するＵ字型フレームと固定端部３７とを形成し、固定端部３７において末端部先端３８（図面では隠れている）が、今回はフレームの内側枝部３４に対して角度をつけて位置し、それにより内側枝部と外側枝部とがシート２２ａを片側ずつ保持したまま、連絡橋３６がスロット２３に挿入され、同時に、末端部先端３８が開口部２５に挿入され、末端部３３がシート２２ａに取り付け可能になる。このとき、前もって末端部３３を弾性変形させ、Ｕ字型フレームの枝部同士を離隔する、および／またはシート２２ａを弾性変形させることを要する。
【００５６】
先述の実施形態とは異なり、図７の実施例において、Ｕ字型フレームの寸法は、横架材３の中央部が、シート２２ａの中央部分からではなく、シート２２ａの両端部のうち一方に近い領域から延びるよう形成される。
【００５７】
図１１の変更例は、覆われる表面、または該当する場合、ファサードに対して、平行に垂直材２が配置されることを可能にする変更例である。
【００５８】
この場合、固定手段２２は、シート２２ａに、２つの固定貫通穴２７、２８によってそれぞれ形成される第１の入り口開口部Ａと第２の入り口開口部Ｂとを含む。対応して、末端部３３が、横架材３に対して実質的に垂直向きに折り返されて横架材３に形成され、固定貫通孔２７と２８に対応する、第１の屈曲部３９ａおよび第２の屈曲部３９ｂを決定し、末端部３３がシート２２ａで整合可能とされ、第２の屈曲部は復元防止のための要素としても機能し、末端部３３の固定端部３７が、末端部３３が垂直材２に取り付けられる間に挿入された固定開口部２８から外れることを防いでいる。
【００５９】
実施例において、第１の屈曲部３９ａは、先述の変更例の部品を示すために使用されたのと同一の参照符号を使用して説明すると、上側枝部３４、下側枝部３５、固定貫通孔２７と２８との間の距離と同じくらいの長さを有する連絡橋３６を区別する略Ｕ字型フレームを有し、第２の屈曲部３９ｂは、末端部先端３８が位置する固定端部３７において終了する。この場合、末端部３３をシート２２ａに挿入するために、Ｕ字型フレームは必ず弾性変形され、今度は上側枝部３４と下側枝部３５を一緒に合わせ、そして広げ、それにより末端部３３が復元力によってシート２２ａに固定される。代替的に、または、同時に、シート２２ａを弾性変形させることが必要になることがある。
【００６０】
本発明は、他の実施形態において、例えば、図８、９の実施形態において、図示されるように、固定貫通孔は、同一平面に位置しないことを想定している。
【００６１】
図９ａの実施形態において、シート２２ａは、横架材３の延在方向に対して垂直に方向づけられ、シート２２ａに対して垂直方向に延びるタブ２９を含み、タブ２９には第１の固定貫通孔２７が形成され、末端部３３は、末端部３３の第１の部分４１を上述の第１の固定貫通孔２７に挿入するために正確に方向づける第１の屈曲部ａにおいて折り返される。第２の屈曲部ｂは、末端部３３において固定端部３７を作り出し、固定端部３７には、第２の固定開口部２８に挿入するために末端部の第１の部分４０に対して角度をつけて、末端部先端３８が位置し、これらはすべて図９に示される。
【００６２】
連結位置を実現するために、第１の屈曲部ａを中心として末端部３３が必ず弾性変形され、第１の固定貫通孔２７に挿入される末端部３３の第１の部分４０および／またはシート２２ａは、必ず弾性変形される。弾性変形される部分の弾性反応により、固定端部３７が第２の固定貫通孔２８と整列するとき、固定端部は、第２の固定貫通孔２８に自動的に支持される。
【００６３】
本発明は、例えば、第１の部分４０が第１の固定貫通孔２７に横から挿入可能な、タブ２９の横方向開口部２７ａによって、第１の固定貫通孔２７が、外部に開口することを想定し、図９ｂに詳しく示される。この横方向開口部は、末端部３３および／またはシート２２ａが必ず弾性変形され、末端部３３が第１の固定貫通孔２７に挿入されるように、配置されることが好ましい。これによって、末端部３３が、シート２２ａの調節位置を利用するとき、第１の固定貫通孔２７から誤って抜けてしまうことを防ぐ。
【００６４】
図８は、代替的な実施形態を示し、末端部３３は、２つの屈曲部を有してある種のフックを形成し、シート２２ａは、シート２２ａをプレス加工して得られる、または、シート２２ａに溶接される延長部により形成されるハウジング４４を有し、ハウジング４４は、アクセス開口部４５を介して末端部３３を受け入れることを意図し、フックと係合可能である。
【００６５】
具体的な実施例において、末端部３３が曲げられ、第１の屈曲部を形成し、その後に直線部分４１が続き、その末端部もまた曲げられ第２の屈曲部ｂを形成し、その後に末端部３３の固定端部３７が続く。シート２２ａに対する末端部３３の連結位置を実現するために、まず、末端部を第１の屈曲部を中心として外側および／またはシート２２ａに向かって弾性変形させ、末端部をハウジング４４に挿入することが必要であり、そうすると固定端部３７が、その目的のために、シート２２ａに、具体的には、ハウジングの前壁に備えられる固定開口部２３と整列するとき、復元力によって元の形に戻りやすい。
【００６６】
ハウジング４４が、Ｖ型断面を有するため、末端部の第１の部分４０が、Ｖ型断面の頂点に対して、それ自体を中心として支持され、それにより横架材３３の横方向変位を防いでいる点に留意されるべきである。
【００６７】
もう１つの可能な実施形態が、図１０に示される。この場合、固定手段２２は、シート２２ａに形成される同一の貫通スロット３０の対向する端部３０，３１により形成される、第１の入り口開口部Ａと第２の入り口開口部Ｂとをシート２２ａに含む。対応して、末端部３３が折り返され、内側枝部４１および外側枝部４２の２つの枝部と連絡橋４３とで一種のばねを作りだし、それぞれの枝部は、向かい合う枝部の方向へ向けられた復元防止屈曲部４１ａ、４２ａを有し、それぞれが復元力により貫通スロット３０の対応する側部３０ａまたは３０ｂに嵌合することを意図し、シート２２ａを弾性変形させることおよび／またはばねの圧縮を要し、枝部同士を互いに近づけ、橋をシート２２ａの貫通スロット３０に挿入する。シート２２ａおよび／またはばねは伸張しやすく、つまり、元の形状に戻りやすく、ばねは貫通スロット３０の中にぴったりと収まる。
【００６８】
図１２は、どのように同一のシート２２ａが準備され、それぞれの横架材３からの複数の末端部３３がそれに同時に取り付け可能であるかを示す概略図を示す例である。この例は、スロットおよび開口部を有する垂直材２のシート２２ａを示し、４つの横架材３の４つの末端部３３が同じ高さにおいて取り付けられ、シート２２ａが、ある種の結合部を決定し、そこから互いに対して直交するように４つの横架材３が突出し、そのうちの２つが向かい合う位置で図４に示すものと同様の解決方法を用いてシート２２ａに取り付けられ、別の２つの横架材３もまた向かい合う位置で図１１に示すものと同様の解決方法を用いてシート２２ａに取り付けられる。
【００６９】
図１３から図１５は、本発明のシステムによって被覆部材１０の支持を可能にする、いくつかの選択肢を示す。
【００７０】
図１３に示すように末端部３３の間の横架材は、直線であってもよいが、本発明は、そうではないことを想定し、横架材３は、湾曲させ、へこませ、螺旋状などとしてもよいため、ファサードが内側、外側、またはその両方に浮き上がりまたは空間を得ることができる。
【００７１】
横架材３は、れんが、リブ付きチューブ、円形ワイヤなど形が異なっていてもよい被覆部材１０を吊り下げるのに適し、好ましくは、対応する横架材３を挿入するための１つ以上の貫通孔１０ａまたは溝を備える。
【００７２】
図示されるように、１つ以上の横架材３は、各部材１０を同時に貫通してもよい。
【００７３】
図１４および図１５は、横架材の設計を示し、それらの末端部３３によって横架材を２つの垂直材２に連結または固定可能であり、また、１つまたは複数の吊り下げ部材１０を配置可能にし、１つまたは複数の部材１０の横方向の動きを制限するため、それらは、末端部３３に向かって移動することができない。これは、横架材３に曲線部３ａまたは突出部を設けることによって実現される。
【００７４】
部材１０は、所望の機械的特性によって、いかなる材料から作られてもよい。部材１０は、構造的機能性または負荷がまったくない装飾物であってもよい。例えば、本発明において、部材１０は、スチール、プラスチック、ガラス、セラミック、せっ器、木材、複合材料など、またはこれらの複数種類の仕上げ材から作られてもよいと考えられる。
【００７５】
１つの横架材３が部材１０を貫通するとき、完成したシステムの風圧が減少する。その理由は、風が吹くとき、部材１０は、移動できる余地があり、丸形または少なくとも円状の断面を有する場合、横架材３を中心として回転する。
【００７６】
本発明によるシステムは、図１６に示すように非常に汎用性がある。この図１６は、図面においてシステムの異なる変更例と側面図を示す。実施例１において、垂直材２は、直線かつ垂直であり、横架材３は、均一に配置され、等距離であり、いくつかの部材１０を示し、それぞれに１つの横架材３が貫通する。実施例２において、垂直材２は、対で設置され、この場合の横架材３は均一に配置され、等距離であるものの、２本の垂直材２において同一の高さで一致し、図面は、１つの横架材３が貫通する部材１０を示すが、２つの横架材３が同じ高さを通る部材１０もまた示す。実施例３において、垂直材２は垂直ではなく、むしろ、例えば換気ファサードに空間を与えるために曲線を形成し、さらに、横架材３は、垂直材２の間で非等距離であるだけではなく、２つの部材１０が互いに異なる距離で配置され、異なる高さにおいて、２つの横架材３から吊り下げられる２つの部材１０を示す。
【００７７】
最後に、図１７は、本発明の範囲内における別の可能性の概略図および正面図を示す。この場合、提示されたシステムは、２つの隣接する垂直材２の間に延びる横架材３を、２つの隣接しない垂直材の間に延びる横架材３と組み合わせ、その末端部３３もまた、上記垂直材２の同じ高さに配置される固定手段２２に必ずしも取り付けられる必要がない。
【図１】
2020523509.tif 000003
【図２】
2020523509.tif 000004
【図３】
2020523509.tif 000005
【図４ａ】
2020523509.tif 000006
【図４ｂ】
2020523509.tif 000007
【図５】
2020523509.tif 000008
【図６】
2020523509.tif 000009
【図７】
2020523509.tif 000010
【図８】
2020523509.tif 000011
【図９ａ】
2020523509.tif 000012
【図９ｂ】
2020523509.tif 000013
【図１０】
2020523509.tif 000014
【図１１】
2020523509.tif 000015
【図１２】
2020523509.tif 000016
【図１３−１５】
2020523509.tif 000017
【図１６】
2020523509.tif 000018
【図１７】
2020523509.tif 000019
【国際調査報告】
2020523509.tif 000020
2020523509.tif 000021
2020523509.tif 000022
2020523509.tif 000023
2020523509.tif 000024
2020523509.tif 000025